(57)【特許請求の範囲】
【請求項１】
電磁波吸収体と背面板とからなる矩形の電磁波吸収パネルを壁面に取り付ける方法であって、前記背面板の表面に、該背面板の２辺に沿って、嵌合可能な挿入部と嵌挿部とを有する２つの取付用部材が、該取付用部材を貫通して背面板の表面に挿入された締結手段にて取り付けられ、この２つの取付用部材の内、一方の取付用部材は壁面側に取付けられる上面板部と下面板部とそれらの付け根を結ぶ縦板部とにより囲まれた空間部が嵌挿部となされると共に前記下面板部が挿入部となされ、他方の取付用部材は上面板部と下面板部とそれらの付け根を結ぶ縦板部とにより囲まれた空間部が嵌挿部となされると共に前記上面板部が挿入部となされ、該挿入部にはその先端より直角に立上がる立上げ片が形成され、該挿入部が壁面側に取付けられる一方の取付用部材の嵌挿部に挿入された状態においては、前記立上げ片の先端面は、前記一方の取付用部材の嵌挿部を構成する上面板部の内面に当接可能となされ、まず一方の取付用部材の上面板部が壁面側に取り付けられた後、この取り付けられた一方の取付用部材の嵌挿部に他方の取付用部材の挿入部が挿入され、加えて、この取り付けられた一方の取付用部材の挿入部が他方の取付用部材の嵌挿部に挿入され、前記工程を繰り返すことで電磁波吸収パネルが壁面に取り付けられることを特徴とする電磁波吸収パネルの取付方法。
【請求項２】
取付用部材は、矩形の電磁波吸収パネルの辺と略同一の長さとされていることを特徴とする請求項１に記載の電磁波吸収パネルの取付方法。
【発明の詳細な説明】
【０００１】
【発明の属する技術分野】
本発明は、道路周辺における不要な電波を除去するために、壁面に取り付けられる電磁波吸収パネルの取付方法に関するものである。
【０００２】
【従来の技術】
電磁波吸収パネルは、料金所の屋根部や、壁高欄の壁面等に取り付けられてそれらを被覆し、それらの壁面に当たって反射する筈であった電磁波を吸収することで、通信時における不要な電波が通信空間に残留し不具合を生じさせることを防止している。
【０００３】
従来、このような電磁波吸収パネルを壁面に取り付ける際には、電磁波吸収パネルやそれに取り付けた取付金具に貫通孔を設け、ボルトやビス等により、壁面に埋め込んだアンカーナットや、壁面に設けられたアングル材等に固定する方法が用いられていた。電磁波吸収パネルは、壁面に取り付けられるものであることから風荷重に対する対策が不要であり、また構造材としての強度が期待されるものではなく、内蔵される電磁波吸収体も樹脂の発泡体等密度の小さいものであることから軽量であり、前記のような簡易な取付構造で強度的も十分なものとなり得る。
【０００４】
【発明が解決しようとする課題】
しかしながら、これらの方法は、取付作業はそのほとんどが現地での作業に頼るものであり、現地において、人員、手間がかかると共に、取り付けに時間がかかることから、長時間の交通規制が必要となる。電磁波吸収パネルが取り付けられるのは、概ね既設の道路で、且つ交通量の多い箇所であり、かような長時間の交通規制は極めて忌避されるべきものである。
【０００５】
そこで本発明は、現地における取付作業を、容易な方法で且つ短時間に行うことが可能となる電磁波吸収パネルの取付方法を提供するものである。
【０００６】
【課題を解決するための手段】
上記課題を解決するために、本発明は以下のような方法としている。
すなわち本発明に係る電磁波吸収パネルの取付方法は、電磁波吸収体と背面板とからなる矩形の電磁波吸収パネルを壁面に取り付ける方法であって、前記背面板の表面に、該背面板の２辺に沿って、嵌合可能な挿入部と嵌挿部とを有する２つの取付用部材が、該取付用部材を貫通して背面板の表面に挿入された締結手段にて取り付けられ、この２つの取付用部材の内、一方の取付用部材は壁面側に取付けられる上面板部と下面板部とそれらの付け根を結ぶ縦板部とにより囲まれた空間部が嵌挿部となされると共に前記下面板部が挿入部となされ、他方の取付用部材は上面板部と下面板部とそれらの付け根を結ぶ縦板部とにより囲まれた空間部が嵌挿部となされると共に前記上面板部が挿入部となされ、該挿入部にはその先端より直角に立上がる立上げ片が形成され、該挿入部が壁面側に取付けられる一方の取付用部材の嵌挿部に挿入された状態においては、前記立上げ片の先端面は、前記一方の取付用部材の嵌挿部を構成する上面板部の内面に当接可能となされ、まず一方の取付用部材の上面板部が壁面側に取り付けられた後、この取り付けられた一方の取付用部材の嵌挿部に他方の取付用部材の挿入部が挿入され、加えて、この取り付けられた一方の取付用部材の挿入部が他方の取付用部材の嵌挿部に挿入され、前記工程を繰り返すことで電磁波吸収パネルが壁面に取り付けられることを特徴とするものである。
【０００７】
【０００８】
【０００９】
【００１０】
【００１１】
【００１２】
本発明においては、壁面側に取り付けるのは一方の取付用部材のみであり、他方の取付用部材は先に取り付けた一方の取付用部材に嵌合するのみで電磁波吸収パネルを壁面に取り付けることが可能であることから、容易且つ迅速な作業が可能となり得る。
【００１３】
前記取付用部材は、矩形の電磁波吸収パネルの辺と略同一の長さとされていてもよい。
【００１４】
ここで壁面とは、側壁面に限定されず、屋根部や天井部の面、地平面、斜面、曲面等、電磁波の反射が考え得る部位を示し、本発明に係わる取付方法は、これらの壁面に好適に適用されるものである。
【００１５】
【発明の実施の形態】
本発明の実施の形態について、図面に基づき以下に具体的に説明する。
図１〜図３については、電磁波吸収パネルの取付方法についての参考例であって、矩形の電磁波吸収パネルの背面板の向かい合う２辺の端縁が背面側に折り曲げられ、更に前面方向に開口する略コ字状に折り曲げられ、その略コ字状に折り曲げられた２辺に沿って取付用部材が設けられ、前記取付用部材には摺動可能なボルトが設けられて壁面に取り付けられる方法を説明するものである。
【００１６】
図１は概略図で、壁面に設けられた構造材である梁Ａに下地材Ｂが取り付けられ、下地材ＢにＬ字金具Ｃを介して、スライドレール式の胴縁Ｄが取り付けられている。胴縁Ｄには更に取付金具Ｅが摺動可能に設けられ、その取付金具Ｅに穿設された貫通孔Ｅ１を用いて、電磁波吸収パネル１がボルト１３１により壁面に取り付けられることとなる。
【００１７】
図２は、電磁波吸収パネル１の胴縁Ｄへの取り付けを示す説明図である。電磁波吸収パネル１は電磁波吸収体１１及び背面板１２とからなり、背面板１２の両端部は鈎状に折り曲げられて、取付用部材１３が取り付けられ、取付用部材１３の開口溝１３２にはボルト１３１が摺動可能に設けられている。取付用部材１３は、電磁波吸収パネル１の長さ方向にある程度の長さを有しており、ボルト１３１が摺動可能な範囲を確保している。取付用部材１３を背面板１２に取り付けるには、背面板１２の端部より摺動させて取り付けるのが好ましい。電磁波吸収パネル１は、摺動可能に取り付けられた取付金具Ｅの貫通孔Ｅ１及びボルト１３１を用いて、胴縁Ｄに取り付けられるが、取付金具Ｅ及びボルト１３１はそれぞれ摺動可能であり、またその摺動する方向が直交していることで、取り付け時において梁、下地材、胴縁、取り付けに係わる金具の位置や、それらの貫通孔の位置が設計時と若干異なった場合においても、電磁波吸収パネルは容易に取り付けが可能である。
【００１８】
図３は、図２における取付部の詳細を示す断面図である。便宜上、一点波線αを挟んで胴縁Ｄ側を９０度回転させて同一断面としている。胴縁Ｄは四面に開口溝Ｄ２が設けられ、開口部が奧より狭くなされていることで、ボルトＤ１が外れることなく摺動可能な、所謂スライドレール式とされている。また、ボルトに六角ボルトを用いることで、ナットＤ３を螺着するときもボルトＤ１は共廻りすることが無くなる。ボルトＤ１のみならず、図１におけるＬ字金具Ｃに取り付けられる際にもボルト（図示せず）を摺動可能とすることができる。
【００１９】
取付金具Ｅは、ボルトＤ１及びナットＤ３によって胴縁Ｄに取り付けられるが、一旦摺動可能な程度に仮締めした状態とし、その状態で取付金具Ｅ及びボルト１３１を摺動させつつ貫通孔Ｅ１と、ボルト１３１の位置を合わせ、ナット１３１を螺着することで、電磁波吸収パネル１は取付金具Ｅを介して胴縁Ｄに取り付けられる。ボルトＤ１及びナットＤ３と、ボルト１３１及びナット１３３は、一旦摺動可能な程度に仮締めした後、電磁波吸収パネル１の位置合わせを行った後、本締めを行うことで電磁波吸収パネル１を所定の位置に取り付けることが容易に可能である。
【００２０】
取付用部材１３は、背面板１２の端縁の略コ字状の部位１３４が嵌合され、取付用部材１３に設けられた溝１３５に背面板１２の端縁の一部１２１が挿入されることで、取付用部材１３は背面板１２に強固に嵌着される。ここで、背面板１２が鉄鋼、ステンレス、アルミニウム等の金属材料により形成されたものであれば、靱性に富んでおり強度及び耐久性が優れることから好ましい。
【００２１】
図４〜図６は、本発明に係わる実施の一形態を示すもので、矩形の電磁波吸収パネルの背面板の２辺に、嵌合可能な挿入部及び嵌挿部を有する取付用部材を取り付け、一方の取付用部材に貫通孔を穿設して、その貫通孔を用いて締結手段にて壁面側に一方の取付用部材を固定し、固定された取付用部材の挿入部に他方の取付用部材の嵌挿部を挿入して行くことを繰り返して、電磁波吸収パネルを壁面に取り付ける方法を説明するものである。
【００２２】
図４は、矩形の電磁波吸収パネルに取付用部材を取り付けた状態を示すものである。電磁波吸収パネル１は、電磁波吸収体１１と背面板１２とからなり、背面板１２にリベット、ビス、ボルト等の締結手段２にて取付用部材１３ａ及び取付用部材１３ｂが取り付けられている。取付用部材１３ａには、取付用の貫通孔１３ａ１が穿設されている。取付用部材１３ａ及び取付用部材１３ｂは、その長さが電磁波吸収パネル１の辺と略同一の長さとされ、嵌合部の長さを大きくして強度を高めると共に、電磁波吸収パネル間に隙間が生じたときにも、取付用部材がその隙間の全体を隠すことにより電磁波吸収パネルの背後の構造物等を確実に隠蔽することができる。
【００２３】
図５は、壁面に設けられた構造物である野縁に電磁波吸収パネルを取り付けて行く状態を示すもので、ａ）は取り付けの概略、ｂ）は嵌合部の詳細を示すものである。電磁波吸収パネル１ａ及び電磁波吸収パネル１ｂは、その両端縁に取付用部材１３ａ及び取付用部材１３ｂがそれぞれ取り付けられ、まず電磁波吸収パネル１ａの取付用部材１３ａがビス３により野縁Ｆに締結される。次に電磁波吸収パネル１ａの取付用部材１３ａの嵌挿部１３ａ２に、電磁波吸収パネル１ｂの取付用部材１３ｂの挿入部１３ｂ１が挿入される。本実施形態においては、電磁波吸収パネル１ｂの取付用部材１３ｂにも嵌挿部１３ｂ２が設けられ、その嵌挿部１３ｂ２に電磁波吸収パネル１ａの取付用部材１３ａに設けられた挿入部１３ａ３が挿入されることで、より確実に取付用部材同士は嵌合される。電磁波吸収パネル１ａの取付用部材１３ａ及び電磁波吸収パネル１ｂの取付用部材１３ｂを嵌合した後、電磁波吸収パネル１ｂの取付用部材１３ａをビス３により野縁Ｆに締結し、次の電磁波吸収パネルの取付用部材１３ｂの挿入部を、電磁波吸収パネル１ｂの取付用部材１３ａの嵌挿部１３ａ２に挿入する。この取付作業を繰り返すことで、電磁波吸収パネルは壁面に取り付けられてゆくこととなる。
【００２４】
図６は、図５における取付部の詳細を示す断面図である。電磁波吸収パネル１ａ及び１ｂは、電磁波吸収体１１及び背面板１２からなるが、電磁波吸収パネル１ａ及び電磁波吸収パネル１ｂの背面板１２には、それぞれビス３により取付用部材１３ａ及び取付用部材１３ｂが取り付けられている。取付用部材１３ａは、ビス４により野縁Ｆに取り付けられた後、取付用部材１３ｂの挿入部１３ｂ１が、取付用部材１３ａの嵌挿部１３ａ２に挿入される。このとき、電磁波吸収パネル１ａと電磁波吸収パネル１ｂの間に隙間が生じても、その隙間は取付用部材１３ａ及び取付用部材１３ｂにより隠されて野縁Ｆや壁面が見えることがなく、従って外観上も好ましいものとなり得る。本実施形態においては、ビス４での締結を行うにあたり、ナット５ａと野縁Ｆとの間にワッシャー５ｂ及びコ字座金５ｃを挟み、コ字座金５ｃの反力により、ナット５ａの緩みを防止している。コ字座金５ｃに替えて、スプリングワッシャー、緩み止めナット等を用いてもよい。
【００２５】
【発明の効果】
参考例に記載の方法では、略コ字状に折り曲げられた背面板の端縁を利用して取付用部材を嵌合し、その取付用部材を用いて電磁波吸収パネルを壁面に取り付けることができることから、迅速な取り付けが可能で、且つ確実な方法となり得る。また余分な部材を必要としないことから、コストを低減できると共に、部材同士を締結する手間も少なくでき、取り付けの迅速化も図ることができる。
【００２６】
本発明では、壁面側に取り付けるのは一方の取付用部材のみであり、他方の取付用部材は先に取り付けた一方の取付用部材に嵌合するのみで電磁波吸収パネルを壁面に取り付けることが可能であることから、容易且つ迅速な作業が可能となり得る。
【図面の簡単な説明】
【図１】  電磁波吸収パネルの取付方法についての参考例を示す概略図である。
【図２】  電磁波吸収パネルの取付方法についての参考例を示す説明図である。
【図３】  図２に示す取付部の詳細を示す断面図である。
【図４】  本発明の実施の一形態に係わる電磁波吸収パネルを示す概略図である。
【図５】  本発明に係わる実施の一形態を示す説明図である。
【図６】  図５に示す嵌合部の詳細を示す断面図である。
【符号の説明】
１        電磁波吸収パネル
１ａ、１ｂ  電磁波吸収パネル
１１      電磁波吸収体
１２      背面板
１３      取付用部材
１３１    ボルト
１３２    開口溝
１３３    ナット
１３４    略コ字状の部位
１３５    溝
１３ａ、１３ｂ  取付用部材
１３ａ１  貫通孔
１３ａ２  嵌挿部
１３ａ３  挿入部
１３ｂ１  挿入部
１３ｂ２  嵌挿部
２        締結手段
３        ビス
４        ビス
５ａ      ナット
５ｂ      ワッシャー
５ｃ      コ字座金
【図１】
0004121261.tif 000002
【図２】
0004121261.tif 000003
【図３】
0004121261.tif 000004
【図４】
0004121261.tif 000005
【図５】
0004121261.tif 000006
【図６】
0004121261.tif 000007